(57)【特許請求の範囲】
【請求項１】
画像データを記録する記録媒体と、該記録媒体に記録する画質モードを少なくとも２種類から選択できる画質モード選択手段と、選択された画質モードであることをユーザーに表示する画質モード表示手段と、前記記録媒体に記録できる撮影可能コマ数を表示する撮影可能コマ数表示手段とを有した電子カメラにおいて、
選択された画質モードにおいて撮影可能コマ数が０の場合に、他の画質モードを選択すれば記録可能なときに、前記画質モード表示手段にて記録可能な他の画質モードを合わせて表示し、前記他の画質モードの表示を他の画質モードの撮影可能コマ数と同じ回数分点滅する点滅表示手段を有することを特徴とする電子カメラ。
【請求項２】
画像データを記録する記録媒体と、該記録媒体に記録する画質モードを画質の異なる少なくとも２種類から選択できる画質モード選択手段と、選択された画質モードであることをユーザーに表示する画質モード表示手段と、前記記録媒体に記録できる撮影可能コマ数を表示する撮影可能コマ数表示手段とを有した電子カメラにおいて、
前記画質の異なる少なくとも２種類の画質モードにおけるそれぞれの撮影可能コマ数を記憶する記憶手段と、前記少なくとも画質の異なる２種類の画質モードのうち一方の画質モードにおいて撮影可能コマ数が０の場合に、他方の画質モードを選択すれば撮影可能なときに、前記画質モード表示手段にて記録可能な他の画質モードを合わせて表示し、前記他の画質モードの表示を前記記憶手段に記憶した他の画質モードの撮影可能コマ数と同じ回数分を周期的に点滅する点滅表示手段と、を有することを特徴とする電子カメラ。
【請求項３】
前記記録媒体の空き容量から前記撮影可能コマ数を算出する算出手段を有し、前記少なくとも画質の異なる２種類の画質モードにおけるそれぞれの撮影可能コマ数を前記算出手段にて算出し、該算出したそれぞれの撮影可能コマ数を前記記憶手段に記憶することを特徴とする請求項２記載の電子カメラ。
【請求項４】
画像データを記録する記録媒体と、該記録媒体に記録する画質モードを高画質モード及びノーマル画質モードの２種類から選択できる画質モード選択手段と、選択された画質モードであることをユーザーに表示する画質モード表示手段と、前記記録媒体に記録できる撮影可能コマ数を表示する撮影可能コマ数表示手段とを有した電子カメラにおいて、
前記画質モード選択手段にて高画質モードを選択したとき、高画質モードでの撮影可能コマ数が０でない場合は、前記画質モード表示手段にて高画質モードの表示をするとともに、撮影可能コマ数表示手段にて高画質モードでの撮影可能コマ数を表示し、
高画質モードでの撮影可能コマ数が０でかつノーマル画質モードでの撮影可能コマ数が０でない場合は、前記画質モード表示手段にて高画質モード及びノーマル画質モードを表示し、該ノーマル画質モードの表示はノーマル画質モードでの撮影可能コマ数と同じ回数分点滅表示をし、撮影可能コマ数表示手段にて高画質モードでの撮影可能コマ数を表示し、前記画質モード選択手段にてノーマル画質モードを選択したとき、ノーマル画質モードでの撮影可能コマ数が０でない場合は、前記画質モード表示手段にてノーマル画質モードの表示をするとともに、撮影可能コマ数表示手段にてノーマル画質モードでの撮影可能コマ数を表示することを特徴とする電子カメラ。
【発明の詳細な説明】
【０００１】
【発明の属する技術分野】
本発明は、画像記録装置、特に電子カメラの表示手段に関する。
【０００２】
【従来の技術】
電子カメラに用いる記録媒体には本体内蔵メモリー、カード型ハードディスク、メモリーカード等がある。
【０００３】
一般的に、電子カメラでは、低い画像圧縮率で記録する高画質モードと、高画質モードよりも比較的高い画像圧縮率で記録するノーマル画質モードの二つの画質モードを選択することができる。また、それぞれの画質モードによって画像圧縮率が異なるため、記録に必要とする記録媒体の使用容量が異なる。
【０００４】
従来技術として、一つの画質モードを選択すると、その画質モードを象徴する文字やマークをLCD 等に点灯表示し、さらに記録媒体の空き容量から、その画質モードにおける撮影可能コマ数を計算し、撮影可能コマ数をLCD 等に表示する方法が実際に用いられている。
【０００５】
【発明が解決しようとする課題】
しかし、従来技術手段だけでは、使用容量が異なる画質モードを切り換えられる電子カメラにおいて、例えば、１コマ記録する時の記録媒体の使用容量の少ないノーマル画質モードでは１枚撮影が可能であるが、使用容量の多い高画質モードでは撮影が不可能である場合に、選択している画質モードが使用容量の多い高画質モードの場合には、LCD に記録媒体の容量不足表示や撮影不可能表示をおこなうことになり、使用者には使用容量の少ないノーマル画質モードならば撮影が可能であるという事がわからない。
【０００６】
【課題を解決するための手段】
本発明は、かかる従来技術を解決することを目的とし、画像データを記録する記録媒体と、該記録媒体に記録する画質モードを少なくとも２種類から選択できる画質モード選択手段と、選択された画質モードであることをユーザーに表示する画質モード表示手段と、前記記録媒体に記録できる撮影可能コマ数を表示する撮影可能コマ数表示手段とを有した電子カメラにおいて、選択された画質モードにおいて撮影可能コマ数が０の場合に、他の画質モードを選択すれば記録可能なときに、前記画質モード表示手段にて記録可能な他の画質モードを合わせて表示し、前記他の画質モードの表示を他の画質モードの撮影可能コマ数と同じ回数分点滅する点滅表示手段を有する電子カメラを提供する。
【０００７】
また、撮影可能な前記他の画質モードを点滅表示させることで、視覚的にユーザーが判断でき、さらに、前記他の画質モードでの撮影可能コマ数を点滅の回数によって知らせる構成にして、他の画質モードでの撮影可能コマ数を使用者が容易に判断でき、これによって簡単に記録媒体の効率利用方法が使用者に認識できる。
【０００８】
さらに、本発明の他の電子カメラによれば、画像データを記録する記録媒体と、該記録媒体に記録する画質モードを画質の異なる少なくとも２種類から選択できる画質モード選択手段と、選択された画質モードであることをユーザーに表示する画質モード表示手段と、前記記録媒体に記録できる撮影可能コマ数を表示する撮影可能コマ数表示手段とを有した電子カメラにおいて、前記画質の異なる少なくとも２種類の画質モードにおけるそれぞれの撮影可能コマ数を記憶する記憶手段と、前記少なくとも画質の異なる２種類の画質モードのうち一方の画質モードにおいて撮影可能コマ数が０の場合に、他方の画質モードを選択すれば撮影可能なときに、前記画質モード表示手段にて記録可能な他の画質モードを合わせて表示し、前記他の画質モードの表示を前記記憶手段に記憶した他の画質モードの撮影可能コマ数と同じ回数分を周期的に点滅する点滅表示手段と、を有することを特徴とする。
【０００９】
さらに、本発明の他の電子カメラによれば、前記記録媒体の空き容量から前記撮影可能コマ数を算出する算出手段を有し、前記少なくとも画質の異なる２種類の画質モードにおけるそれぞれの撮影可能コマ数を前記算出手段にて算出し、該算出したそれぞれの撮影可能コマ数を前記記憶手段に記憶することを特徴とする。
【００１０】
さらに、本発明の他の電子カメラによれば、画像データを記録する記録媒体と、該記録媒体に記録する画質モードを高画質モード及びノーマル画質モードの２種類から選択できる画質モード選択手段と、選択された画質モードであることをユーザーに表示する画質モード表示手段と、前記記録媒体に記録できる撮影可能コマ数を表示する撮影可能コマ数表示手段とを有した電子カメラにおいて、前記画質モード選択手段にて高画質モードを選択したとき、高画質モードでの撮影可能コマ数が０でない場合は、前記画質モード表示手段にて高画質モードの表示をするとともに、撮影可能コマ数表示手段にて高画質モードでの撮影可能コマ数を表示し、高画質モードでの撮影可能コマ数が０でかつノーマル画質モードでの撮影可能コマ数が０でない場合は、前記画質モード表示手段にて高画質モード及びノーマル画質モードを表示し、該ノーマル画質モードの表示はノーマル画質モードでの撮影可能コマ数と同じ回数分点滅表示をし、撮影可能コマ数表示手段にて高画質モードでの撮影可能コマ数を表示し、前記画質モード選択手段にてノーマル画質モードを選択したとき、ノーマル画質モードでの撮影可能コマ数が０でない場合は、前記画質モード表示手段にてノーマル画質モードの表示をするとともに、撮影可能コマ数表示手段にてノーマル画質モードでの撮影可能コマ数を表示することを特徴とする。
【図面の簡単な説明】
【図１】本発明の実施例の全体構成の概略図
【図２】（ａ）は本発明の実施例のLCD 表示装置の表示例
（ｂ）はLCD 表示装置の表示例
【図３】（ａ）は２コマ記録可能時の画質モードマークの点滅周期例
（ｂ）は１コマ記録可能時の画質モードマークの点滅周期例
【符号の説明】
１  撮影レンズ光学系及び撮像回路
２  ＡＤＣ
３  ＴＧ
４  RAM
５  信号処理プロセッサ
６  MPU
７  記録媒体
８  記録媒体装着検出回路
９  ＬＣＤ表示装置
１０  メインパワースイッチ
１１  画質モード選択スイッチ
１２  レリーズスイッチ
１３  高画質モードマーク
１４  ノーマル画質モードマーク
１５  記録可能コマ数カウンター
ｘ  点滅表示信号（点滅表示手段）
【図１】
0003825097.tif 000002
【図２】
0003825097.tif 000003
【図３】
0003825097.tif 000004